(57)【特許請求の範囲】
【請求項１】
パケットデータネットワークに接続されて、データリンク経由でプッシュ・トーク音声電話データパケットを第一ユーザ局から受信し第二ユーザ局へ送信するように構成されているデータパケットハンドラーと、無線インタフェースとを持つ移動通信システムを用いてユーザ局間の通信を制御する方法において、
前記データリンク経由で前記第一ユーザ局と前記第二ユーザ局間のプッシュ・トーク音声電話呼の設定の状態を表示する制御データを保持し、
前記プッシュ・トーク音声電話内の種々の点での転送されるプッシュ・トーク音声電話データ量に従って、割り当てられる無線リソース量が変化するように、前記無線インタフェース上で前記プッシュ・トーク音声電話用のプッシュ・トーク音声電話データを伝送するデータパケットの転送用に無線リソースを動的に割り当て、
前記制御データに従って前記データリンク経由で前記第一及び第二ユーザ局間のプッシュ・トーク音声電話データパケットの転送を制御する、ユーザ局間の通信を制御する方法。
【請求項２】
前記制御データが前記プッシュ・トーク音声電話の存在を表示する請求項１に記載の方法。
【請求項３】
前記制御データが前記プッシュ・トーク音声電話の参入者の身元を表示する請求項１又は２の何れか１項に記載の方法。
【請求項４】
前記制御データがユーザ局による前記プッシュ・トーク音声電話の占有を表示する請求項１乃至３の何れか１項に記載の方法。
【請求項５】
前記データパケットハンドラーで前記第一ユーザ局からプッシュ・トーク音声電話呼の設定要請を受信し、且つ、プッシュ・トーク音声電話呼の設定確認メッセージを前記第一ユーザ局に送信する請求項１乃至４の何れか１項に記載の方法。
【請求項６】
プッシュ・トーク音声電話呼の設定メッセージを前記データパケットハンドラーから前記第二ユーザ局に送信し、且つ、前記第二ユーザ局から承認を受信した後に前記プッシュ・トーク音声電話呼の設定確認メッセージを送信する請求項５に記載の方法。
【請求項７】
前記第二ユーザ局のアドレスを決めるために前記データパケットハンドラーからデータ記憶装置にアクセスして、そこに送信されるデータパケットのアドレスを決める請求項１乃至６の何れか１項に記載の方法。
【請求項８】
前記プッシュ・トーク音声電話の前記第一ユーザ局による占有を含む請求項１乃至７の何れか１項に記載の方法。
【請求項９】
前記第一ユーザ局がプッシュ・トーク音声電話を占有したときに、プッシュ・トーク音声電話データパケットの前記第一ユーザ局への転送を阻止するように前記転送を制御する請求項８に記載の方法。
【請求項１０】
前記第一ユーザ局がもはやプッシュ・トーク音声電話を占有しないときに、プッシュ・トーク音声電話占有を前記第二ユーザ局に認める請求項８又は９の何れか１項に記載の方法。
【請求項１１】
前記第二ユーザ局を含む複数の電話参入者ユーザ局への送信用に、前記第一ユーザ局から受信したデータパケットを複製する請求項１乃至１０の何れか１項に記載の方法。
【請求項１２】
前記制御データが前記データパケットハンドラーによりアクセス可能なデータ記憶装置に保持される請求項１乃至１１の何れか１項に記載の方法。
【請求項１３】
前記データリンク経由で第一ユーザ局から前記データパケットハンドラーでプッシュ・トーク音声電話データパケットを受信する請求項１乃至１２の何れか１項に記載の方法。
【請求項１４】
前記データリンク経由で前記データパケットハンドラーから第二ユーザ局にプッシュ・トーク音声電話データパケットを送信する請求項１乃至１３の何れか１項に記載の方法。
【請求項１５】
前記データパケットハンドラーをサポートノードに接続する請求項１乃至１４の何れか１項に記載の方法。
【請求項１６】
前記ユーザ局は回路交換音声電話を行うことができる請求項１乃至１５の何れか１項に記載の方法。
【請求項１７】
前記移動通信システムはＧＳＭ型移動通信システムである請求項１乃至１６の何れか１項に記載の方法。
【請求項１８】
前記移動通信システムはＧＳＭに少なくとも部分的に基づいた第三世代システムである請求項１乃至１７の何れか１項に記載の方法。
【請求項１９】
前記移動通信システムはＵＭＴＳシステムを含んでいる請求項１８記載の方法。
【請求項２０】
別のユーザ局が参加しているプッシュ・トーク音声電話に参加しているときに、データリンク経由でデータパケットハンドラーと交信するように適応した移動局において、
要請された無線リソースの量が前記プッシュ・トーク音声電話の種々の点での送信されるプッシュ・トーク音声電話データ量に従って変わるように、無線インタフェース経由でプッシュ・トーク音声電話データを伝送するプッシュ・トーク音声電話データパケットの送信用のリソースを動的に要請するように構成されているリソース要請システムと、
プッシュ・トーク音声電話関連制御機能を信号化するために前記データパケットハンドラーとの間で制御データを送受信するように構成されているデータ送受信機とを含む、移動局。
【請求項２１】
前記データ送受信機はデータリンク経由で前記データパケットハンドラーとの間で前記制御データを送受信するように構成されている請求項２０記載の移動局。
【請求項２２】
プッシュ・トーク音声電話呼の設定要請を前記データパケットハンドラーに送信し、プッシュ・トーク音声電話呼の設定確認メッセージを前記データパケットハンドラーから受信するように構成されている請求項２０または２１記載の移動局。
【請求項２３】
プッシュ・トーク音声電話呼の設定メッセージを前記データパケットハンドラーから受信し、承認を前記データパケットハンドラーに送信するように構成されている請求項２０乃至２２の何れか１項に記載の移動局。
【請求項２４】
前記プッシュ・トーク音声電話を占有するように構成されているマシンマシンインタフェースを含んでいる請求項２０乃至２３の何れか１項に記載の移動局。
【請求項２５】
回路交換音声電話を行うように構成されている請求項２０乃至２４の何れか１項に記載の移動局。
【請求項２６】
前記移動局はＧＳＭ型移動局である請求項２０乃至２５の何れか１項に記載の移動局。
【請求項２７】
前記移動局はＧＳＭに少なくとも部分的に基づいた第三世代移動局である請求項２０乃至２６の何れか１項に記載の移動局。
【請求項２８】
前記移動局はＵＭＴＳ移動局である請求項２７記載の移動局。
【請求項２９】
データリンク経由で移動通信システムのユーザ局と交信するように構成されているデータパケットハンドラーにおいて、
前記移動通信システムは無線インタフェースとデータパケットネットワークとを有しており、
前記データパケットハンドラーは、第一ユーザ局及び第二ユーザ局間のプッシュ・トーク音声電話のために、前記無線インタフェース及び前記データパケットネットワーク経由で前記第一ユーザ局及び第二ユーザ局間のプッシュ・トーク音声電話データパケットの転送を制御するように構成されており、
前記データパケットハンドラーは、前記プッシュ・トーク音声電話の状態を表示する制御データにアクセスし、前記制御データに従ってプッシュ・トーク音声電話データパケットの転送を制御するように構成されている、データパケットハンドラー。
【請求項３０】
前記移動通信システムはＧＳＭ型移動通信システムである請求項２９記載のデータパケットハンドラー。
【請求項３１】
前記移動通信システムはＧＳＭに少なくとも部分的に基づいた第三世代システムである請求項２９または３０に記載のデータパケットハンドラー。
【請求項３２】
前記移動通信システムはＵＭＴＳシステムを含んでいる請求項３１記載のデータパケットハンドラー。
【発明の詳細な説明】
【０００１】
本発明は、移動通信、例えばセルラ通信に関する。本発明は、特に、限定されるものではないが、ＧＳＭ型移動通信装置に適用可能である。
【０００２】
音声発信サービスを提供するセルラ通信の例にはモトローラ（Ｍｏｔｏｒｏｌａ）（商標）統合ディジタル広域網、すなわちｉＤＥＮ（商標）システムがある。このシステムは、ＴＤＭＡ無線インタフェース経由で固定ネットワーク機器に移動端末を連結し、且つ、基地局コントローラ（ＢＳＣｓ）を制御するように接続されたセルサイトで広域ベーストランシーバ装置（ＥＢＴＳｓ）を含む。ＢＳＣｓは、従来の回路交換に公衆サービス電話網（ＰＳＴＮ）を行わせる移動交換局（ＭＳＣ）と、発信サービス用の交換を行うメトロパケット交換（ＭＰＳ）とに連結する。発信アプリケーションプロセッサ（ＤＡＰ）は、このシステム内の移動端末の識別と位置を登録することにより発信通信を統合し、制御する。
【０００３】
ｉＤＥＮシステムは音声発信サービス、回路交換コールサービス及び他のデータ通信サービス、例えば短いメッセージサービスを提供する。
【０００４】
米国特許出願５，４１６，７７０は、オーディオデータパケットをフレームリレーリンク経由で輸送する音声発信セルラ通信装置について説明する。送信データパケットを複製し、この複製パケットを識別標的基地局に分配することによって複数の通信ユニット間に通信を確立する。
【０００５】
米国特許出願５，４４８，６２０は、音声発信モードと電話相互接続モードの両方で動作可能な移動端末について説明する。
【０００６】
公衆地上移動網（ＰＬＭＮ）と呼ばれる周知のＧＳＭネットワークを図１に概略的に図示する。移動交換局（ＭＳＣ）２を通信リンク経由で多数の基地局コントローラ（ＢＳＣｓ）４に接続する。ＢＳＣｓ４を移動交換局２により利用される領域上で地理的に分散させる。各ＢＳＣ４は、ＢＳＣから遠隔地にあり、且つ、別の通信リンクによりＢＳＣに接続された一つ以上の基地トランシーバ局（ＢＴＳｓ）６を制御する。各ＢＴＳ６は無線信号を、そのＢＴＳにより利用される領域内にある移動局８に送信し、移動局８から無線信号を受信する。その領域を“セル”と呼ぶ。ＧＳＭネットワークは、ネットワークテリトリ全体を連続サービス領域にするように理想的には隣接する非常に多数のこのようなセルを具備する。
【０００７】
移動通信局２を通信リンク経由で移動通信網１０の残りの他の移動交換局と、公衆サービス電話網（ＰＳＴＮ）（図示されない）のような他のネットワークとに接続する。移動交換局２は、各移動局８に固有の国際移動加入者識別（ＩＭＳＩ）を含む加入者認証データを蓄積するデータベースであるホームロケーションレジスタ（ＨＬＲ）１２を具備する。ＩＭＳＩも移動局において他の加入者特定情報と共に加入者識別モジュール（ＳＩＭ）内に記憶する。
【０００８】
移動交換局も、その領域内で有効な移動局用の加入者認証データを一時的に記憶するデータベースであるビジターロケーションレジスタ（ＶＬＲ）１４を具備する。
【０００９】
ＧＳＭは元来、全二重回路交換音声電話を支えるように設計された。
【００１０】
新たな機能性の要素を先端音声コールアイテム（ＡＳＣＩ）と呼ばれるＧＳＭフェーズ２＋技術仕様に加える。これはグループ内部のメンバに放送するグループコールを行う。放送グループコールを確立するために、始発移動局はＭＳＣに要請グループ識別を含むサービス要請を送る。ＭＳＣはＶＬＲにより加入者を認証する。
【００１１】
認証チェックが成功すると、ＭＳＣはグループコールレジスタからグループのメンバ用の識別データを要請する。この情報により、ＭＳＣは受信移動局とグループコール発信者との間の接続を設定する。受信移動局を置いた各セルは、被呼グループの識別とグループコール放送用に割当てたチャンネルの記述を含む通知をページングする。グループコール発信者はグループコールデータを配置チャンネル上の放送用にセルの各々に送信する。
【００１２】
ＧＳＭフェーズ２＋技術仕様内でＧＳＭに付加される別の機能性の要素は汎用パケット無線サービス（ＧＰＲＳ）である。
【００１３】
ＧＰＲＳはＧＳＭ無線網上で高速及び低速データを転送し、効率的に信号を送るパケットモードサービスを提供する。ＧＰＲＳは、間欠及びバースト的データ転送から大容量データの偶発的転送までのデータ転送の種類の範囲を支持するように設計される。ＧＰＲＳはインタネットサービス、ｅメール及び他のデータサービスを思い描く。
【００１４】
ＧＰＲＳはポイント間（ＰＴＰ）及びポイント−マルチポント間（ＰＴＭ）データパケット転送両者用の機構を持つ。ＰＴＭデータパケット転送では、データパケットを所定の地理的領域内のセルの全てに放送する。各ケースでは、データパケットをその行き先で正しく確実に受信する以外に、ネットワークサイドでデータパケットの中身の知識がない限り、ＧＰＲＳはデータパケットを明らかにして送信する。
【００１５】
ＧＰＲＳ無線インタフェースを回路交換トラヒックチャンネルと信号チャンネル用に用いられるＧＳＭ機械的無線インタフェースの自在な数のＴＤＭＡタイムスロット内に置く。同一ＧＰＲＳ無線源をセル内の全移動局により共有する。この無線源はデータパケットが送られた場合にのみ移動局により、又は移動局用に保有される。
【００１６】
パケット指向ネットワーク基幹的電気通信設備は、ＧＰＲＳ基幹回線網により相互接続されたＧＰＲＳサポートノード（ＧＳＮｓ）の形態でパケット交換を持ち、ＴＣＰ／ＩＰ，Ｘ２５等のようなプロトコルを用いて外部パケットデータプロトコル（ＰＤＰ）網にデータパケットを出し入れするゲートウェイＧＰＲＳサポートノード（ＧＧＳＮ）を含むパケットデータ網を持つ。
【００１７】
本発明のある観点では、無線インタフェースを持つ移動通信システムによりユーザ局間の通信を制御する方法を提供する。前記方法は；
パケットデータ網に接続したデータパケットハンドラーを具備し；
第一ユーザ局と第二ユーザ局間の電話の状態を表示する制御データを保持し；
割当て無線源の量が電話における種々の点で転送されるコールデータ量により変わるように、前記無線インタフェース上で前記電話用のコールデータを伝えるデータパケットの転送用に無線源を動的に配置し；
前記制御データにより前記データパケットハンドラーを用いて前記第一及び第二ユーザ局間のデータパケットの転送を制御するものである。
【００１８】
電話の状態をネットワークサイドの記憶装置に保持し、移動局間の通信の制御を可能にする。パケットデータ網により与えられた機能性及び無線源配置及び制御の特性は、データの転送が間欠的である場合でさえも、ユーザ局間の継続中の回路交換接続を必要としないで、電話中にデータ転送が可能であるようなものである。転送されるデータは音声コールデータやビデオコールデータである。
【００１９】
本発明の別の観点では、ＧＳＭ型移動通信システムにおけるデータ転送を処理する方法を提供する。前記方法は；
第一ユーザ局から受信人ＩＤを含む第一データパケットを受信し；
前記受信人ＩＤをパケット網プロトコルアドレスに写像し、それによってゲートウェイＧＰＲＳサポートノードにより識別される第二ユーザ局に送り；
前記ゲートウェイＧＰＲＳサポートノードに前記パケット網プロトコルアドレスを含む前記第二データパケットを送信するものである。
【００２０】
この観点では、ＧＰＲＳによりユーザ局間のデータパケットの転送を可能にする機能を提供する。ここでは、パケット網プロトコルアドレス（一時的にのみ配置される）よりもむしろ周知の受信人ＩＤを第一ユーザ局により用いて第二ユーザ局を識別する。
【００２１】
本発明の別の観点では、移動通信システムによりユーザ局間で通信を行う方法を提供する。各前記ユーザ局はユーザの映像を受信するカメラと遠隔当事者の映像を表示するディスプレーから成り、前記方法は、前記ユーザ局間のデータ転送接続を確立し、前記接続を半二重モードで制御して、ユーザ局が映像を形成する映像データを送受信するのに十分な第一周期間に映像データを受信のみ、又は送信のみのどちらか一方を行い、且つ、映像を形成する映像データを送受信するのに十分な第一周期に続く第二周期間に映像データを受信のみ、又は送信のみのどちらかのもう一方を行うものである。
【００２２】
本発明の別の観点では、映像通信を行うのに適応した移動局を提供する。前記移動端末は、データプロセッサにより制御される半二重モード通信モードを持ち、そのモードで映像データの受信中に映像データの送信を阻止し、且つ、ユーザにより選択された周期中に映像データの送信を可能にする。
【００２３】
これらの観点は通信方法と移動局を提供するもので、新規で有利な方式のビデオ会議用に使用される。この通信を半二重モードに限定することにより、電話に必要な帯域幅と移動局パワーの仕様条件を減らせる。
【００２４】
さらに、データの送受信双方を行う受信人のグループ間に映像データを分配する発信通信モードの動作が可能である。ある当事者は電話を捕えて、残りの関与者により受信される映像データを送信する。次に、この電話を連続して異なる関与者により捕える。
【００２５】
本発明のさらに別の観点は添付の特許請求の範囲に明示され、その特徴は以下の説明から明らかになる。
【００２６】
本発明の実施形態を添付図面を引用して例によりここに説明する。
【００２７】
図２で、本発明の実施形態によるＧＳＭ適合移動局８は送受話器であり、送受信アンテナ１６、無線周波トランシーバ１８、パケタイザ／デパケタイザ及びバッファ記憶装置を含むＧＰＲＳモジュール１９、拡声器２２とマイクロフォン２４に接続したスピーチコーダ／デコーダ２０、プロセッサ回路２６とその関連メモリ２８、ＬＣＤディスプレー３０、手動入力ポート（キーパッド）３２及びプッシュ・トークボタン３４から成る。この移動局を電気接点経由で取外し可能加入者識別モジュール（ＳＩＭ、図示されない）に接続する。
【００２８】
図３は、本発明の実施形態により配備されたＧＳＭ型ＰＬＭＮの概略図である。ＰＬＭＮは、一つ以上のサービングＧＰＲＳサポートノード（ＳＧＳＮｓ）４０を含むＧＰＲＳサポートノードとゲートウェイＧＰＲＳサポートノード（ＧＧＳＮ）４４を持つ。ＰＬＭＮは図１に関連して説明した構成要素の全てを含む。移動局８は、従来技術のようにサービングセルへのキャンピング直後にＭＳＣ経由で回路交換電話を行うことができる。
【００２９】
ＧＧＳＮ４４は外部パケットデータ網４６、例えばＴＣＰ／ＩＰ網とＰＬＭＮをインタフェースするように具備したノードである。それはＰＬＭＮ内の活性ＧＰＲＳユーザ用のルーティング情報を含み、パケットデータ網からＰＬＭＮ内の移動局の取付けの電流点にパケットデータプロトコル  プロトコルデータユニット（ＰＤＰ  ＰＤＵｓ）に属するデータパケットを送信するのに用いられる。ＧＧＳＮはパケットデータプロトコル（ＰＤＰ）アドレスを写像するためのマッピング機能を提供し、それによって移動ユーザはパケットデータ網４６内で移動局の身元に識別され、移動ユーザをＰＬＭＮ内で識別する。移動ユーザのＰＤＰアドレスはパケットデータ網４６内で使用されるそれぞれのネットワークレーヤサービスの標準アドレススキーム、例えばＩＰバージョン４アドレス、ＩＰバージョン６アドレス又はＸ．１２１アドレスと一致する。
【００３０】
移動ユーザは、移動局８及びＨＬＲ１２に記憶される永久の、すなわち“静的”ＰＤＰアドレスを配置されるか、要請によりＧＧＳＮ４４により配置される一時的、すなわち“動的”ＰＤＰアドレスを要請して配置される。
【００３１】
ＳＧＳＮｓ４０，４２をサービングＧＰＲＳサポートノードと呼ぶ。これらのノードはそれらのルーティング領域内で移動局８を利用するノードであるから。移動局のＧＰＲＳサービスにログオンすると、ＳＧＳＮが移動局の移動性と安全性に関係する情報を含む移動性管理環境を確立する。ＳＧＳＮは移動局８によりパケットデータ網４６にアクセスするために使用されるＧＧＳＮ４４を用いて、“ＰＤＰ環境”としてＧＰＲＳ内で呼ばれるルーティング環境をも確立する。
【００３２】
ＳＧＳＮとＧＧＳＮの機能性を同一機械的ノード内で組合わせるか、又は異なる機械的ノードにしておくことができる。
【００３３】
パケットデータ網４６は公衆インタネット、イントラネット接続すなわち専用回線である。パケトデータ網４６は他の構成要素、例えば他のＰＬＭＮｓのＧＧＳＮ５６又は固定端末５８との接続を行う。
【００３４】
それゆえ、ＰＬＭＮ内のＳＧＳＮｓ４０とＧＧＳＮ４４と、移動局８内のＧＰＲＳモジュール１９の機能性を追加すると、移動網とユーザはＧＰＲＳを有効にし、それにより移動ユーザはパケットモードデータを送受信できる。例えば、移動ユーザは、公衆インタネット上で移動局８に取付けた端末機器を用いて、ＧＧＳＮ４４により与えられたゲートウェイ機能性と、ＳＧＳＮｓ４０、４２、ＢＳＣｓ４、ＢＴＳｓ６、ＧＰＲＳ無線インタフェースを含むネットワークの残りに与えられたパケットモード転送機能性とを経由して移動局８を用いてＷｅｂページにアクセスできる。
【００３５】
ＧＰＲＳ無線インタフェースは、“デジタルセルラ通信システム（フェーズ２＋）”という名称のＧＳＭ０３．６４バージョン５．１．０；ＧＰＲＳ無線インタフェースの総合説明；欧州遠隔通信標準協会出版のステージ２に説明される。これらの内容はここに参照して組込まれる。
【００３６】
ＧＰＲＳアーキテクチャと伝送機構、移動管理機能性、ネットワーク管理機能性、無線源機能性、パケットルーティング転送機能性、ＧＰＲＳによる伝送及び情報記憶装置は、“デジタルセルラ遠隔通信システム（フェーズ２＋）”という名称のＧＳＭ０３．６０バージョン５．２．０；汎用パケット無線サービス（ＧＰＲＳ）；欧州遠隔通信標準協会出版のステージ２に説明される。これらの内容はここに参照して組込まれる。
【００３７】
標準ＧＰＲＳ基幹的電気通信設備に加えて、本発明の移動通信システムの実施形態は発信パケットハンドラー４８、パケット記憶装置５０、パケットユーザデータベース（ＰＵＤ）５２及びサービス管理端末５４を持つ。
【００３８】
パケットハンドラー４８はＰＬＭＮ内のＧＰＲＳユーザ間の仮想接続を設定し、且つ、データパケットをユーザのグループに分配する場合にパケットを複製する役割がある。
【００３９】
パケット記憶装置５０は、パケットハンドラー４８で接触不可能なユーザ用のデータパケットの受信時にＧＰＲＳ経由で接触不可能なＰＬＭＮ内部のＧＰＲＳユーザへの分配を意図したデータパケットを記憶する役目がある。
【００４０】
パケットユーザデータベース５２はパケットハンドラー４８により使用されるサービスデータ記録を保持してＰＬＭＮ内のＧＰＲＳユーザ間の仮想接続を設定し、管理する。サービス管理端末５４を用いてＰＵＤ５２内のサービスデータを更新する。
【００４１】
ＰＵＤ５２はコールグループのメンバを識別するためにコールグループの記録を保持する。図４は、代表的コールグループの記録を示す。単一コールグループのフィールドを、フィールド６０を含むコールグループＩＤにより識別する。二つ以上の移動局ＩＤｓ、ＭＳＩＤ１，ＭＳＩＤ２・・・ＭＳＩＤｎはフィールド６２に含まれ、各移動局ＩＤフィールド６２は、関係移動局がコールグループを現在捕えたことを示す合図をした関連電話占有（seize）フィールド６４を持つ。
【００４２】
コールグループ記録に加えて、パケットユーザデータベース５２は、本発明のＧＰＲＳ仮想接続サービスに対し有効なサブスクリプションを持つＰＬＭＮ内の各移動加入者用の識別記録を記憶する。図５で、各このような加入者は、永久移動局ＩＤ６６，現在であれば、配置ＰＤＰアドレスを含むためのフィールド６８、及びコールグループＩＤを含むための、現在であれば、問題の移動加入者用のフィールド７０とを含めたフィールド６６を含む移動加入者記録を持つ。ＰＤＰアドレスフィールド６８が空であれば、これは、移動局が現在、ＧＰＲＳサービスに取付けられていないことを示す。現在のコールグループＩＤフィールド７０が空であれば、これは、加入者がＧＰＲＳ仮想接続コールに現在、参加していないことを示す。
【００４３】
図６は、本発明のＧＰＲＳ仮想接続サービスに参加するために移動局８で実行される手順を図示する。ＧＰＲＳサービスを利用するために、ユーザは移動局８からＧＰＲＳログオン手順を初期化する（ステップ１００）。
【００４４】
ＧＰＲＳログオン信号化手順は、参照のために特にここに部分的に組込まれた“アタッチ機能”の名称のＧＳＭ０３．６０  Ｖ．５．２．０、パート６．５で説明される。この部分も、ログオンでのＰＤＰ環境活性化手順を記述し、参照用にここに特に組込まれた同じ書類の名称“活性化手順”のパート９．２．２に属する。
【００４５】
ＧＰＲＳアタッチを実行した後、移動局は“準備状態”にあり、パケット転送は移動局８とＰＬＭＮ間のＧＰＲＳ無線インタフェース経由で生じ、移動度管理環境が移動局とＳＧＳＮ４０で確立される。次に、移動局は‘ＰＤＰ環境を活性化せよ’とのＳＧＳＮ４０への要請を送信することにより、そのＰＤＰ環境を活性化する。移動局が静的ＰＤＰアドレスを使っている場合、移動局は‘ＰＤＰ環境を活性化せよ’の要請の内でその静的ＰＤＰアドレスを送信する。
【００４６】
ＳＧＳＮ４０は、移動局８が要請に含まれたＰＤＰアドレスを活性化することを可能にされることをチェックするために、ＧＰＲＳサブスクリプション情報が加入者用に保持されたＨＬＲ１２に照会する。可能であれば、ＳＧＳＮは、ＧＧＳＮ４４のためにＨＬＲ１２に保持されたＰＤＰ環境表に新しいエントリを作る‘ＰＤＰ環境を作れ’のＧＧＳＮ４４への要請を送信する。このＰＤＰ環境表は移動局実体と移動局に割当てたＰＤＰアドレスを持ち、ＧＧＳＮ４４がこれらの二つの実体間を写像でき、それによって、ＳＧＳＮ４０とパケットデータ網４６間にデータパケットを送る。
【００４７】
移動局８が静的ＰＤＰアドレスを使っていないと、ＳＧＳＮ４０によりＧＧＳＮ４４に送られた‘ＰＤＰ環境を作れ’の要請は、ＳＧＳＮ４０経由で移動局８に信号を送られる動的ＰＤＰアドレスを配置したＧＧＳＮをもたらす。
【００４８】
移動局が静的ＰＤＰアドレス、又は動的ＰＤＰアドレスを使っているとしても、移動局８は各場合にＰＤＰアドレスを備えており、それによってパケットデータ網４６から届いたパケットに対するルーティングを識別する。ＰＬＭＮ内部のルーティングは、ＧＧＳＮ４４と移動局８でのデータパケットからカプセル封入を除去するＧＰＲＳデータパケットカプセル封入手順により作成される。カプセル封入機能は、参照のためにここに部分的に特に組込んだ書類ＧＳＭ  ０３．６０  Ｖ．５．２．０のパート９．６に説明される。ＧＰＲＳは明らかに外部ネットワークと移動局間のＰＤＰ  ＰＤＵｓの転送を支持する。（ここではＧＳＮ−ＧＳＮカプセル封入と呼ぶ）一つのカプセル封入スキームをＰＬＭＮ内のＧＳＮｓ間でＧＰＲＳバックボーン用に使用し、（ここではＳＧＳＮ−ＭＳカプセル封入と称する）一つをＳＧＳＮ４０と移動局８間のＧＰＲＳ接続用に使用する。
【００４９】
ＰＤＰ環境エントリが新たにログオンしたＧＰＲＳユーザのためにＧＧＳＮ４４によりＨＬＲ１２内に作られると、ＧＧＳＮ４４がパケットハンドラーにログオンメッセージを送信し、ＰＵＤ５２に保持された移動局記録のフィールド６６内に保持された移動局実体間のマッピングをパケットハンドラー４８に知らせ、それによってユーザがＰＬＭＮと割当てＰＤＰアドレス内に永久に識別されるようにＧＧＳＮ４４を構成する。ログオンメッセージ受信時に、パケットハンドラー４８は問題の加入者用の移動加入者記録のフィールド６８内に配置ＰＤＰアドレスを入れる。
【００５０】
ＧＰＲＳサービスにログオンすると、移動局はデータパケットをパケットハンドラー４８に送信し、データパケットをパケットハンドラー４８から受信する。
【００５１】
移動局８に発生したデータパケットを無線インタフェース上でＢＴＳ６とＢＳＣ４経由でＳＧＳＮ４０に送信する。ＳＧＳＮ４０がパケットを完全、且つ、正確に受信すると、それはパケットをＧＧＳＮ４４に送られるＧＰＲＳバックボーンネットワークパケット内にＧＳＮ−ＧＳＮカプセル封入する。ＧＧＳＮ４４はパケットをカプセルから出し、データパケットのヘッダ部分のパケット開始アドレスとして発信者に配置したＰＤＰアドレスによりデータパケットをパケットハンドラー４８に送る。
【００５２】
受信人用のＰＵＤ５２内に保持される配置ＰＤＰアドレスをデータパケットのヘッダ部分にある行き先アドレスとしてデータパケットに取付けることによってパケットハンドラー４８内に発生したデータパケットを移動局８に送信する。データパケットをパケットデータ網４６経由でＧＧＳＮ４４に送信する。ＧＧＳＮ４４内で、受信機のＰＤＰアドレスを読取り、移動局を利用しているＳＧＳＮをＨＬＲ１２に保持されたルーティングデータから識別する。次に、データパケットをＧＳＮ−ＧＳＮカプセル封入し、識別されたＳＧＳＮに送る。ＳＧＳＮはＧＰＳバックボーンネットワークカプセル封入を取外し、元のデータパケットをＳＧＳＮ−ＭＳカプセル封入し、ＢＳＣ４，ＢＴＳ６及びＧＰＲＳ無線インタフェース経由で移動局８に送信する。
【００５３】
移動局８がパケットを受信すると、それはＳＧＳＮ−ＭＳカプセル封入を除去し、データパケットを処理する。データパケットが音声データパケットであれば、一連のパケットを再組み立てし、音声信号を移動端末内に発生する。
【００５４】
ユーザは、移動局８のマンマシンインタフェイス、例えばキーパッド３２経由で、移動ユーザがメンバであるコールグループの記憶表から仮想接続が確立されているコールグループを選択することによって電話を設定できる。このような選択は電話設定送信手順（ステップ１０２）の初期化の一部であり、図７に関連して以下に説明される。
【００５５】
ＧＰＲＳサービスにログオンすると、移動局８はパケットハンドラー４８からの電話設定受信要請を受信でき、図９に関連して以下に説明するように手順を初期化する。電話に参入すると、移動局８は、図７と図８に関連して下に説明するようにコールデータパケットを受信し始め（ステップ１０６）、コールデータパケットを送信し始める（ステップ１０８）こともできる。さらに、ユーザは、移動局８のマンマシンインタフェイス、例えばキーパッド３２との相互作用により電話への参入を終わらせる（ステップ１１０）機能を持ち、移動局がパケットハンドラー４８に参入終了要請を送信でき（ステップ１１２）、且つ、その現在の電話記録からコールグループＩＤを削除できる（ステップ１１４）。
【００５６】
ユーザは所望ならばまたＧＰＲＳサービスをログオフでき（ステップ１１６）、その結果、ＧＧＳＮ４４により記憶されたＨＬＲ記録内の加入者用割当てＰＤＰアドレスの削除を含むログオフ手順が移動局８により実行される（ステップ１１８）。ＳＧＳＮ４０からログオフメッセージを受信すると、ＧＧＳＮ４４がログオフメッセージをパケットハンドラー４８に送信し、その結果、ＰＵＤ５２内の加入者用に保持された移動加入者記録内のＰＤＰアドレスフィールド６８から先に配置したＰＤＰアドレスを削除することになるようにＧＧＳＮ４４を構成する。
【００５７】
図７で、移動局８のＳＩＭに記憶されたコールグループ表からコールグループの選択後にＰＴＴボタン３４を押すことにより、ユーザが特定コールグループの電話を設定するように移動局８に先ず指示すると、移動局８は一つ以上のＧＰＲＳデータパケットとして選択コールグループＩＤを含む設定要請をパケットハンドラー４８に送信する（ステップ２００）。コールハンドラーは図８に関連して以下に説明する手順を行い、それらの電話設定手順の成功により、パケットハンドラー４８が移動局８内のタイムアウト設定内で移動局に設定確認メッセージを送信したり、しなかったりできる。電話設定確認が移動局でタイムアウト内に受信されない場合（ステップ２０２）、移動局は一般的なＧＰＲＳログオン状態に戻り、移動局８は別の電話設定要請を送信することにより再度試みる。
【００５８】
設定確認メッセージをタイムアウト内にパケットハンドラー４８から受信すると、移動局８は仮想接続が確立されたことをユーザにオーディオビジュアルで表示する（ステップ２０４）。さらに、移動局はユーザにより選択されたコールグループＩＤを現在の電話記録に入れる（ステップ２０６）。
【００５９】
この時点で、ＰＴＴボタン３４が押されたままである限り、ユーザはマイクロフォン２４に話すことによって音声データを送信できる。音声信号をコーデック２０により符号化し、音声データをパケット化し、バッファするＧＰＲＳモジュール１９に通され（ステップ２０８）、無線周波トランシーバ１８によるＧＰＲＳ無線インタフェース上でパケットハンドラー４８の前方への送信用にＳＧＳＮ−ＭＳカプセル封入される（ステップ２１０）。
【００６０】
ＰＴＴボタン３４を放すや否や（ステップ２１２）、移動局８は送信終了メッセージをデータパケットの形態で作成し、パケットハンドラー４８に送信する（ステップ２１４）。
【００６１】
図８で、電話設定要請を受信すると（ステップ３００）、電話設定要請内に含まれるコールグループＩＤにより、パケットハンドラー４８はＰＵＤ５２から、電話設定メッセージの受信を現在利用可能な受信人を識別する受信人記録を検索する（ステップ３０２）。コールグループ記録内の各移動局は、コールグループ記録内に含まれた移動局ＩＤにより識別される関連移動局を持つ。ＰＤＰアドレスと非現在コールグループＩＤを含む各移動局記録では、当該移動局用に検索されたＰＤＰアドレスにより設定メッセージをパケットハンドラーにより送信する（ステップ３０４）。非配置ＰＤＰアドレスを含むか、又は現コールグループＩＤを含む移動局記録をＰＵＤ５２内の電話控え表に入れ、同じコールグループ用に連続して受信した音声データパケットを記憶用のパケット記憶装置５０に送る。潜在的受信人がＧＰＲＳサービスに未だログオンしていない場合、その後に受信人がログオンしたという通知をパケットハンドラー４８で受信すると、次に、設定メッセージを送信して、所望すれば、先の未利用受信人がパケット記憶装置５０に保持されたデータを受信できる。同じ様に、受信人が異なる電話を掛けているので、潜在的受信人が利用不可能な場合、パケットハンドラー４８が先行電話の潜在的受信人から参入終了メッセージを受信すると、パケットハンドラー４８は設定メッセージを先行の利用不可能受信人に送信することにより応答して、受信人が所望すればパケット記憶装置５０に先に保持されたデータを受信できる。
パケットハンドラーが、パケットハンドラー４８のタイムアウト設定内で設定メッセージを送られた利用可能受信人からの承認を受信しない場合（ステップ３０６）、電話設定が不成功に終わり、パケットハンドラーは、ＰＵＤ５２内か、パケット記憶装置５０内のどちらかで電話設定の試みの基準を記憶しないで手順を終了する。
【００６２】
さもないと、パケットハンドラー４８は、電話設定要請発信人と承認電話設定を持つ電話設定メッセージ受信人の双方に対するコールグループＩＤを現コールグループフィールド７０に入れる（ステップ３０８）。別の受信人が電話設定を承認すると、追加された受信人の各々に対する現コールグループＩＤをコールグループＩＤフィールド７０内に入れる。
【００６３】
さらに、パケットハンドラー４８は、電話設定要請発信者の移動局ＩＤに対応するコールグループ記録のフィールド６４に電話占有フラッグを設定し、発信者が今、音声データを送信できることを表示する（ステップ３１０）設定確認メッセージを発信者に送信する（ステップ３１０）。
【００６４】
発信者が設定確認メッセージを受信すると、図７に関連して説明するように、発信者はＰＴＴボタン３４を押し、パケットハンドラー４８で受信される音声データパケットの送信を始める（ステップ３１２）。電話に今、参入する受信人の数が単一受信人を超えると（ステップ３１４）、パケットハンドラー４８は各受信人用に各パケットの内容を複製する（ステップ３１６）。
【００６５】
その後、終了メッセージの時刻を音声パケット送信移動局８から受信する（ステップ３２０）まで、受信パケットを各参入受信人に送信する（ステップ３１８）。終了メッセージを送信移動局８から受信すると、終了メッセージを各受信人に送信し（ステップ３２２）、電話占有フラッグをＰＵＤ５２内の発信者移動局ＩＤに対応するコールグループ記録内のフィールド６４から除去する（ステップ３２４）。
【００６６】
図９で、移動局８がパケットハンドラー４８から設定メッセージを受信する（ステップ４００）と、移動局８は、データパケットのヘッダ部分に含まれ、個々の加入者のコールグループＩＤと名前を含む発信者の身元を表示する（ステップ４０２）。応答時に、受信人は移動局のマンマシンインタフェイスとの対話で電話を受入れる（ステップ４０４）。ユーザが受入れない場合、移動局は設定メッセージに応答しない。さもないと、移動局８はパケットハンドラー４８に承認を送信し、移動局メモリ２８に保持された現電話記録にコールグループＩＤを入れる（ステップ４０６と４０８）。
【００６７】
パケットハンドラー４８で承認が受信された結果、音声データ発信者により後で送信されたいかなるデータパケットも、パケットハンドラー４８により作られた仮想接続を用いて、受信人移動局８に送信される（ステップ４１０）。受信人移動局８で、終了メッセージの時刻をパケットハンドラー４８から受信する（ステップ４１４）まで、データパケットを音声データに変換し、オーディオ信号として出力する（ステップ４１２）。
【００６８】
終了メッセージを受信すると、受信人移動局はユーザに音声データパケットの受信の終了をオーディオビジュアル表示で知らせ（ステップ４１６）、受信人により所望されれば、コールグループを今、占有できることを示す。
【００６９】
電話設定に続いてコールグループを占有るために、休止期間中に、つまり、先の受信移動局の場合にステップ２１４のように送信終了メッセージの受信と他の当事者からの別の音声データパケットの先行受信の後に、また、先の送信受信移動局の場合に、ユーザがトークボタンを放した後で、他の当事者からの音声データパケットの受信前に、任意の参加者がＰＴＴボタン４４を押す。
【００７０】
再び、図７で、移動局８がこの休止状態でＰＴＴボタンを押したことを検出すると、移動局８は電話占有要請をパケットハンドラー４８に送信する（ステップ２１６）。移動局８内の現コールグループＩＤ記録に保持されたコールグループＩＤを移動局により自動的に電話占有要請メッセージ内に含める。それゆえ、ユーザは、現に参加している電話のコールグループを再識別する必要はない。
【００７１】
移動局８内に設定したタイムアウト期間内にパケットハンドラー４８から電話占有確認が受信されないと、移動局８は、別の電話占有要請の送信によって、後の段階で電話を占有することを再度試みることになる。
【００７２】
パケットハンドラー４８から電話占有確認メッセージを受信する（ステップ２１８）と、成功を表すオーディオビジュアル表示をユーザに与え、その後に、ＰＴＴボタンを押えたままで移動局８のマイクロフォン２４に話しかけることにより、ユーザは彼の音声を現コールグループ参加者全てに送信できる。
【００７３】
図１０で、電話占有要請の受信時に（ステップ５００）、電話の別の参加者がコールグループ記録のフィールド６４に保持した電話占有フラッグにより表示されるように、コールグループの現占有を持つかどうかを決めるためにパケットハンドラー４８はＰＵＤ５２に照会する（ステップ５０２）。コールグループ記録に電話占有フラッグが現れない場合、パケットハンドラー４８は電話占有確認メッセージを電話占有要請の発信者に送信し（ステップ５０４）、ＰＵＤ内に保持されたコールグループ記録内の発信者に対応するフィールド６４に電話占有フラッグを加える（ステップ５０６）。
【００７４】
図１１で、電話に今、参入しているユーザの移動局からの参加終了要請を受信する（ステップ６００）と、パケットハンドラー４８は、参加終了要請の発信者に対しＰＵＤ５２に保持された記録の現コールグループフィールド７０からコールグループＩＤを削除する（ステップ６０２）。
【００７５】
その後で、唯一の参加者が電話に留まっている（ステップ６０４）場合、最後の残りの参加者には電話終了メッセージが送られ（ステップ６０６）、コールグループＩＤをＰＵＤ５２に保持された最終参加者記録にある現コールグループフィールドから削除する（ステップ６０８）。利用不可能受信人の記録もＰＵＤ内の電話控え表から削除し、コールグループ用のパケット記録装置５０に記憶された音声データパケットを削除する。
【００７６】
図１２は、本発明による移動局７００の別の実施形態を図示する。移動局７００は図２に示した移動局の実施形態に関連して説明した構成要素を持つ。これらの構成要素は同一番号で引用され、移動局８に関連して述べた機能性を共有する。
【００７７】
それゆえ、移動局７００は、ユーザがキーパッド３２とＰＴＴボタン３４を操作することにより、図２〜図１１に関連して述べたようにＧＰＲＳ仮想接続音声通話を行うことができる。さらに、移動局７００はビデオ会議モードで作動できる。
【００７８】
移動局７００は、移動局８の英数字ディスプレー３０の代わりに静止及び映像を表示できるＬＣＤ型ディスプレー７０２を持つ。さらに、移動局７００は静止及び／又は映像を撮影できるＣＣＤカメラ７０４と、周知の静止及び／映像符号化技術、例えばＪｐｅｇ及び／又はＭｐｅｇ４により静止及び／映像を符号化及び復号化できる映像データコーデック７０６を持つ。
【００７９】
映像データコーデック７０６はＧＰＲＳモジュール１９と連動するので、映像データをＧＰＲＳ無線インタフェース経由でパケット化したり、脱パケット化したり、転送できる。
【００８０】
移動局７００は図２に関連して述べたシステム、特にパケットハンドラー４８と図６〜図１１の各々に関連して述べたのと同じ方法で対話する。それゆえ、パケットハンドラーは二者通話やグループ発信型通話用の仮想音声データ接続を形成できるのみでなく、仮想映像データ接続をも形成できる。ＧＰＲＳにより与えられた動的帯域幅割当て機能性は、ビデオカメラ７０４により捕えられ、且つ、ＧＰＲＳ無線インタフェース経由で映像データコーデック７０６内に符号化された映像データを送信するために十分なレートでのデータの送信を可能にする。
【００８１】
図７で、ビデオ会議モードにおける移動局７００を使う場合に、移動局がビデオ通話を設定し、捕え、ＰＬＭＮへの一つ以上のコールグループ参加者での受信用に映像及びオーディオデータを送信するように先述の手順を実行する。これに関して、図７に関連して先述したステップ２０８には、マイクロフォン２４でのオーディオデータのピックアップとそのデータのオーディオコーデック２０への変換に加えて、ビデオカメラ７０４での映像データの受信とそのデータのビデオコーデック７０６への変換がある。一方で、ＰＴＴボタン３４が作動したままでも、ステップ２１０には個別データパケット、又は同一データパケットどちらかでのオーディオ及びビデオデータ双方の送信がある。これに関して、これは“ＰＴＴ”ボタンと呼ばれるが、“オーディオ及びビデオを送信するための押し”ボタンを含むものとする。
【００８２】
別のモードにおいて、ステップ２１０でオーディオデータを伴う映像データはカメラ７０４で撮影され、映像データコーデック７０６により符号化された静止映像データである。
【００８３】
さらに別のモードにおいて、移動局７００は、ステップ２１０で映像又は静止映像データである映像データを単独で送信するように構成される。
【００８４】
移動局７００内で用いられる特定モードは、マンマシンインタフェイス、例えばキーパッド３２との対話により移動局のユーザにより選択可能である。
【００８５】
図８で、パケットハンドラー４８は、映像及び／又はオーディオ通話の電話設定要請を受信し、応答するように先に述べた手順を実行できる。これに関して、ステップ３１２において、パケットハンドラーは受信人による電話の占有中に映像データパケット及び／又は音声データパケットを受信する。受信したデータパケットの中身に関係なしに、パケットハンドラー４８はパケットを明らかに処理する。
【００８６】
図９で、移動局７００は映像及びオーディオ通話双方に対する電話設定メッセージを受信でき、同じ物を許容できる。これに関して、ステップ４１０で、ＧＰＲＳ無線インタフェース経由で受信されたデータパケットは映像及び／音声データパケットを含み、ステップ４１２はそれらのデータパケットの映像データコーデック及び／又は音声コーデックへの変換、映像及び／又はオーディオ信号のディスプレー７０２への及び／又は拡声器２２による出力を伴う。
【００８７】
それゆえ、本発明の実施形態は、半二重ビデオ会議通話を二者間で、又は電話参加者のグループ間の発信モードのどちらかで行う方法と装置を提供する。比較的多量の帯域幅を必要とする映像データを一時に一方向のみに送信し、システムのユーザが映像データを送信したい場合にのみ間欠的であるという点で有利である。さらに、移動局の電力仕様条件が比較的低い。これは、映像データを全二重モードで絶えず送信する従来のビデオ会議通話の概念と対照的である。
【００８８】
本発明の範囲から逸脱することはしに、種々の修正や同等のものを上述の実施形態に関連して使用できることは当然である。
【００８９】
上述の移動局７００の実施形態はＧＰＲＳ仮想接続モードと従来の回路交換モードの双方で動作可能である。本発明の他の実施形態は、本発明のＧＰＲＳ仮想接続モードにおいてのみ動作可能な移動局を含む。
【００９０】
本発明の二つの実施形態に関連して上述したＧＰＲＳ仮想接続モードは、電話への一方の当事者しか一時に音声及び／又は映像データを送信できない限り、本来、半二重である。しかしながら、ＧＰＲＳは無線インタフェース経由でデータパケットの送受信を同時に可能であり、それゆえ、二者通話の場合に、全二重仮想接続を行うために、音声及び／映像データ転送は同時に起こる。この場合に、当事者のどちらもがコールグループを“占有”されず、どちらの当事者もこのようなデータを受信する場合に音声及び／又は映像データを送信するのを阻止されない。
【００９１】
上述の実施形態で、ＧＧＳＮ４４は、加入者がＧＰＲＳサービスを受けたり、サービスをでる場合に、ログオン及びログオフメッセージをパケットハンドラー４８に送信する。他の信号送り手順も可能である。例えば、電話設定要請を受信する場合に、パケットハンドラー４８はＨＬＲ及び／又はＧＧＳＮ４４に照会して潜在的電話参加者の現在の状態を調べることができる。ログオン／ログオフメッセージをＧＧＳＮ４４からの代わりに、ＨＬＲ１２からパケットハンドラー４８に送信もできる。
【００９２】
上述の実施形態において、移動局とパケットハンドラー４８間を通る制御メッセージは、コールグループ記録に対比するものとみなされるコールグループＩＤを持つ。二者間通話の場合に、このようなコールグループＩＤをＰＵＤ５２内の単一受信人記録である単一受信人ＩＤに置き換える。
【００９３】
上述の場合、パケットデータ網４６を外部パケットデータ網と呼ぶ。パケットデータ網４６は、それがＧＧＳＮ４４を超える限り、‘外部’であるが、ＰＬＭＮオペレータの所有権と管理下に置かれる。それゆえ、それ（パケットデータ網）はイントラネット等の一部を形成でき、さらにＧＧＳＮ４４とパケットハンドラー４８間で単一機械的リンクの形態をとることもできる。パケットハンドラー４８の機能をＧＧＳＮ４４の機能に統合することもできる。
【００９４】
上述に説明において、同一ＰＬＭＮ内で動作する移動局間の仮想接続をパケットハンドラーで制御する。図３に示すように、別のＰＬＭＮのＧＧＳＮ５６はパケットハンドラーからパケットデータ網４６経由でアクセスできる。それゆえ、パケットハンドラーは、図示のＰＬＭＮ内で動作する移動局とＧＰＲＳ基幹的電気通信設備を含む他のＰＬＭＮｓ内で動作する移動局間に仮想接続を設定するのに使用される。さらに、パケットハンドラー４８は、図示のＰＬＭＮ内で動作する移動局と固定端末、例えばパケットデータ網４６に接続される図３に示す固定端末５８との間の仮想接続を制御することもできる。
【００９５】
上述の実施形態では、コールグループの占有、及び、移動局が音声及び／又は映像データを送信する期間をＰＴＴボタン３６を手動で押すことで決める。他のマンマシンインタフェイス対話も電話占有操作と移動端末が音声や映像データを送信する期間を決めるのに用いられ、例えば、その操作と期間は音声駆動される。
【００９６】
上記実施形態では、パケット記憶装置５０は潜在的電話受信人の仮想電話接続中に受信したデータパケットを保持する。さらに、パケット記憶装置を用いてＧＰＲＳサービス経由で受信した音声メールメッセージとデータメッセージを保持し、ＧＰＲＳサービス経由で先方に送信される。さらに、パケット記憶装置５０は要請に応じてＧＰＲＳサービス経由でユーザ局に伝達される情報、例えば、テキスト情報、静止画像情報、オーディオ及び／又は映像情報として提供される株価情報やニュース及び天気等の情報を保持できる。
【００９７】
説明した送受話器以外の移動端末の実施形態を考察する。例えば、移動端末は、車両に設置したＧＰＲＳイネーブルハードウエアユニットと配線コード経由のハードウェアユニットに接続した手持ち式マイクロフォン／プッシュトークユニットとで構成された自動車電話も可能である。
【００９８】
上述の場合では、半二重通信モードでのオーディオ及び映像データの転送を説明する。ユーザ局間のパケットハンドラー４８により転送されたデータパケットは、電話の環境内、又は電話に依存しない環境内で送信されるテキストメッセージ（短いメッセージ）も形成する。
【００９９】
好ましくは、テキストメッセージの転送はパケットハンドラー４８に限定されるものではなく、このパケットハンドラーは被転送テキストメッセージ用のＰＵＤ５２から利用可能な受信人と受信人アドレスを識別し、利用不可能受信人用のパケット記憶装置５０にメッセージを記憶するのに役立つ。
【０１００】
ここに、ＧＳＭ型システムについて述べる。このシステムは、欧州遠隔通信標準協会（ＥＴＳＩ）により公表されたＧＳＭ技術仕様書に定義されたＧＳＭシステムに少なくとも部分的に基づくシステム、例えば、ＤＣＳ１８００システム、ＰＣＳ１９００システム及びＧＳＭに少なくとも部分的に基づいた第三世代システム（例えばＵＭＴＳ）を含む。
【０１０１】
添付の特許請求の範囲に明示される本発明の範囲から逸脱しないで、上述の実施形態に対する修正と変更が採用されることが考えられる。
【図面の簡単な説明】
【図１】  周知の公衆地上移動網の概略ブロック図である。
【図２】  本発明の第一実施形態による移動局の概略ブロック図である。
【図３】  本発明により配置された移動通信網の概略ブロック図である。
【図４】  本発明の実施形態と関連して用いる電話グループ記録の概要図である。
【図５】  本発明の実施形態と関連する移動加入者記録記憶装置の概要図である。
【図６】  本発明の実施形態による移動局により実行される手法を図示するフロー図である。
【図７】  本発明の実施形態による移動局により実行される手法を図示するフロー図である。
【図８】  本発明の実施形態によるデータパケットハンドラーにより実行される手法を図示するフロー図である。
【図９】  本発明の実施形態による移動局により実行される手法を図示するフロー図である。
【図１０】  本発明の実施形態によるデータパケットハンドラーにより実行される手法を図示するフロー図である。
【図１１】  本発明の実施形態によるデータパケットハンドラーにより実行される手法を図示するフロー図である。
【図１２】  本発明による移動局の第二実施形態の概略ブロック図である。
【図１】
0004358438.tif 000002
【図２】
0004358438.tif 000003
【図３】
0004358438.tif 000004
【図４】
0004358438.tif 000005
【図５】
0004358438.tif 000006
【図６】
0004358438.tif 000007
【図７】
0004358438.tif 000008
【図８】
0004358438.tif 000009
【図９】
0004358438.tif 000010
【図１０】
0004358438.tif 000011
【図１１】
0004358438.tif 000012
【図１２】
0004358438.tif 000013